(57)【要約】      （修正有）【課題】食品を盛り付けた状態で、その複数枚を重ね置きすることができ、食品容器を洗浄する時には、取り外して、洗浄を容易に行える食品容器の支持脚台を提供する。【解決手段】平面視円形の食品容器（竹ざる）１を載置して支持する着脱自在な支持脚台２０が、平面視円形の竹製のリング１０と、リング１０に取り付けられる適数本の竹製の脚４とからなる。脚４の上部に設けられる第１の切り込み部７は、食品容器１の周縁部３にその外側から嵌合して、食品容器１を保持する。脚４の下部に設けられる第２の切り込み部８は、食品容器１の直下に配置される別の食品容器１の周縁部３に上方より嵌合するようにされている。【選択図】図３
0003175249.tif 000002
【実用新案登録請求の範囲】
【請求項１】
食品を盛り付けるために使用される平面視円形の食品容器を載置して支持する着脱自在な食品容器の支持脚台であって、
前記食品容器の外径よりやや小さい外径を有する少なくとも１個の平面視円形の竹製のリングと、
前記リングに、その円周方向に沿って等間隔に取り付けられる適数本の縦長の竹製の脚と、
からなり、
前記脚は、
前記食品容器の周縁部と嵌合する切り込み部をその上下部にそれぞれ有し、
前記上部の第１の切り込み部と前記下部の第２の切り込み部との間で、前記リングに上下方向に指向して取り付けられ、
前記第１の切り込み部は、前記リングの内側方向に向かって開口するようにして設けられ、前記食品容器の周縁部にその外側から嵌合して、前記食品容器を保持するとともに、
前記第２の切り込み部は、下方向に向かって開口するようにして設けられ、前記食品容器の直下に配置される別の食品容器の周縁部に上方より嵌合するようにされている
ことを特徴とする食品容器の支持脚台。
【請求項２】
食品を盛り付けるために使用される平面視略矩形の食品容器を載置して支持する着脱自在な食品容器の支持脚台であって、
前記食品容器の外寸法よりやや小さい外寸法を有する少なくとも１個の平面視略矩形の竹製のリングと、
前記リングに、その周方向に沿って適宜間隔を置いて取り付けられる３本の縦長の竹製の脚と、
からなり、
前記３本の脚のうちの１本の脚は、前記平面視略矩形のリングの所定の一辺の中央部に取り付けられ、
前記３本の脚のうちの残りの２本の脚は、前記所定の一辺に対向する一辺と残りの２辺の各々とが作るアールが付された２つの角部にそれぞれ取り付けられ、
前記脚は、
前記食品容器の周縁部と嵌合する切り込み部をその上下部にそれぞれ有し、
前記上部の第１の切り込み部と前記下部の第２の切り込み部との間で、前記リングに上下方向に指向して取り付けられ、
前記第１の切り込み部は、前記リングの内側方向に向かって開口するようにして設けられ、前記食品容器の周縁部にその外側から嵌合して、前記食品容器を保持するとともに、
前記第２の切り込み部は、下方向に向かって開口するようにして設けられ、前記食品容器の直下に配置される別の食品容器の周縁部に上方より嵌合するようにされている
ことを特徴とする食品容器の支持脚台。
【請求項３】
前記第１の切りこみ部は、
その切り込み部を画成する前記脚の上方突片部が、前記脚の母体部よりも前記リングの外側方向に深く切り落とされ、しかも、
その上方突片部の上面が、前記リングの外側方向に行くに従って高くなるように、そこにテーパが付けられて切り落とされ、
その上方突片部の残された突端部には、アールが付けられた
ことを特徴とする請求項１又は２に記載の食品容器の支持脚台。
【請求項４】
前記脚の内側面には、その上下方向略中央部に、凹部が設けられ、その凹部に前記リングが嵌め込まれて、前記リングが前記脚に釘で固定された
ことを特徴とする請求項１又は２に記載の食品容器の支持脚台。
【請求項５】
前記脚は、前記食品容器に食品を盛り付けても、上に重ねられた食品容器の底に、下の食品容器に盛り付けられた食品が接触しないような長さである
ことを特徴とする請求項１又は２に記載の食品容器の支持脚台。
【請求項６】
前記食品容器は、竹ざる、その他の木製、金属製、陶磁器製又はプラスチック製の食品容器のいずれかである
ことを特徴とする請求項１又は２に記載の食品容器の支持脚台。
【考案の詳細な説明】
【技術分野】
【０００１】
本願の考案は、食品を盛り付けるために使用される食品容器の支持脚台に関し、特に、食品容器に下方からこれを取り付けることにより、食品容器を載せて支持する脚台として機能するとともに、食品が盛られた状態でも、その状態を壊すことなく、その食品容器の複数枚を重ね置くことができ、食品提供後の洗浄時には、これを取り外して、食品容器の洗浄を容易に行うことができるようにした、着脱自在な食品容器の支持脚台に関する。
【背景技術】
【０００２】
本願の出願人は、先に、冷水で冷やした、そば、うどん、そうめんのような麺類を水切りして盛り付けるために使用される竹ざるの周縁部に、複数本の脚を固定して竹ざるの支持脚とし、麺類等の食品を盛り付けた状態でも、その状態を壊すことなく、竹ざるの複数枚を重ね置きすることができるように工夫された、脚付き竹ざるを提案した（特許文献１参照）。
【０００３】
次に、その脚付き竹ざるの構造を、図面を参照しながら説明する。
図８は、従来例の脚付き竹ざるを２枚重ねた状態の斜視図である。この脚付き竹ざる０１は、同図に示されるように、竹製のすのこ部０２の周囲を縁取りする同じく竹製の周縁部０３に、その周方向に適宜間隔を置いて複数本（本例の場合、周縁部０３の周方向に等間隔に３本）の竹製の脚０４が取り付けられている。
【０００４】
脚０４は、その上部に、周縁部０３の内側方向に向けて開口するようにして入れられた第１の切り込み部０７を有し、この第１の切り込み部０７が、周縁部０３に外側方向から嵌合している。そして、脚０４は、周縁部０３に、これらを上方から貫通する竹釘０６でしっかりと直立して固定されるようになっている。
【０００５】
また、脚０４は、その下部に、下方向に向けて開口するようにして入れられた第２の切り込み部０８を有しており、この第２の切り込み部０８が、前記した脚付き竹ざる０１の直下に配置される別の脚付き竹ざる０１の周縁部０３に上方より嵌合して、上下の竹ざる０１が水平方向に相対移動しないようにして、複数枚の脚付き竹ざる０１が、上下方向に重ね置きされるようになっている。
【０００６】
このような脚付き竹ざる０１は、食品を盛り付けた状態でも、その状態を壊すことなく、その複数枚を重ね置きすることができるので、調理場のスペースの節約や、複数枚の竹ざる０１の食台への運搬の容易化や、作業能率の向上を図ることができる。
【０００７】
しかしながら、脚０４は、竹ざる０１の周縁部０３に竹釘０６で固定されているため、脚０４を竹ざる０１から分離することができず、このため、脚付き竹ざる０１で食品を提供した後、竹ざる０１を洗浄するに際しては、複数の脚０４が邪魔になって洗いにくいという欠点があった。特に、竹ざる０１の裏面が洗いにくいものであった。
【０００８】
竹ざる０１を支持する脚０４が、竹ざる０１の洗浄時に取り外せれば、竹ざる０１の洗浄が容易になり、さらなる作業能率の向上を図ることができる。しかしながら、前記提案の脚付き竹ざる０１では、複数の脚０４が竹ざる０１の周縁部０３に固定されていて取り外せないために、このようなことが不可能であった。
【先行技術文献】
【特許文献】
【０００９】
【特許文献１】実用新案登録第３１７１０８８号公報
【考案の開示】
【考案が解決しようとする課題】
【００１０】
本願の考案は、従来の脚付き竹ざるが有する前記のような問題点を解決して、食品を提供する時には、支持脚台を食品容器に取り付け、食品を盛り付けた状態で、その状態を壊すことなく、その複数枚を重ね置きすることができるようにして、調理場のスペースの節約と、食品が盛り付けられた複数枚の食品容器の食台への運搬の容易化と、作業能率の向上とを図り、食品を提供した後、食品容器を洗浄する時には、支持脚台を食品容器から取り外して、食品容器の洗浄の容易化と、さらなる作業能率の向上とを図ることができる、着脱自在な食品容器の支持脚台を提供することを課題とする。
【課題を解決するための手段】
【００１１】
前記のような課題は、本願の実用新案登録請求の範囲の各請求項に記載された次のような考案により解決される。
すなわち、その請求項１に記載された考案は、食品を盛り付けるために使用される平面視円形の食品容器を載置して支持する着脱自在な食品容器の支持脚台であって、前記食品容器の外径よりやや小さい外径を有する少なくとも１個の平面視円形の竹製のリングと、前記リングに、その円周方向に沿って等間隔に取り付けられる適数本の縦長の竹製の脚と、からなり、前記脚は、前記食品容器の周縁部と嵌合する切り込み部をその上下部にそれぞれ有し、前記上部の第１の切り込み部と前記下部の第２の切り込み部との間で、前記リングに上下方向に指向して取り付けられ、前記第１の切り込み部は、前記リングの内側方向に向かって開口するようにして設けられ、前記食品容器の周縁部にその外側から嵌合して、前記食品容器を保持するとともに、前記第２の切り込み部は、下方向に向かって開口するようにして設けられ、前記食品容器の直下に配置される別の食品容器の周縁部に上方より嵌合するようにされていることを特徴とする食品容器の支持脚台である。
【００１２】
請求項１に記載された考案は、前記のように構成されており、支持脚台を平面視円形の食品容器に容易に着脱できるため、食品を提供する時には、支持脚台を食品容器に取り付けることにより、食品を盛り付けた状態でも、支持脚台によって形成される空間によってその状態を壊すことなく、食品容器の複数枚を重ね置きすることができるようになり、調理場のスペースの節約と、食品が盛り付けられた複数枚の食品容器の食台への運搬の容易化と、作業能率の向上を図ることができる。
また、食品を提供した後、食品容器を洗浄する時には、支持脚台を食品容器から取り外すことにより、容易に食品容器の洗浄ができ、作業能率をさらに向上させることができる。
【００１３】
また、支持脚台の食品容器への取り付け、取り外しに際しては、竹製のリングの弾性を利用して、脚の上部をリングの外側方向に向って回転するように変位させることにより、食品容器の周縁部に脚の第１の切り込み部を周縁部の外側から滑らかに嵌まり込ませ、また、そこから滑らかに抜け出させることができ、その取り付け、取り外しが容易である。
【００１４】
さらに、脚の第２の切り込み部が、食品容器の直下に配置される別の食品容器の周縁部に上方より嵌合するため、上方の食品容器と下方の食品容器とが水平方向に相対移動しないように相互に係合されて、安定した状態で、上下の食品容器を重ね置くことができる。
【００１５】
さらに、また、支持脚台の構造は、竹で作られた複数本の脚を、竹で作られた平面視円形のリングに釘で固定するという単純なものであり、材料もほとんどが竹であるので、簡単に、安価に、これを製造することができる。
【００１６】
また、その請求項２に記載された考案は、食品を盛り付けるために使用される平面視略矩形の食品容器を載置して支持する着脱自在な食品容器の支持脚台であって、前記食品容器の外寸法よりやや小さい外寸法を有する少なくとも１個の平面視略矩形の竹製のリングと、前記リングに、その周方向に沿って適宜間隔を置いて取り付けられる３本の縦長の竹製の脚と、からなり、前記３本の脚のうちの１本の脚は、前記平面視略矩形のリングの所定の一辺の中央部に取り付けられ、前記３本の脚のうちの残りの２本の脚は、前記所定の一辺に対向する一辺と残りの２辺の各々とが作るアールが付された２つの角部にそれぞれ取り付けられ、前記脚は、前記食品容器の周縁部と嵌合する切り込み部をその上下部にそれぞれ有し、前記上部の第１の切り込み部と前記下部の第２の切り込み部との間で、前記リングに上下方向に指向して取り付けられ、前記第１の切り込み部は、前記リングの内側方向に向かって開口するようにして設けられ、前記食品容器の周縁部にその外側から嵌合して、前記食品容器を保持するとともに、前記第２の切り込み部は、下方向に向かって開口するようにして設けられ、前記食品容器の直下に配置される別の食品容器の周縁部に上方より嵌合するようにされていることを特徴とする食品容器の支持脚台である。
【００１７】
請求項２に記載された考案は、前記のように構成されているので、平面視略矩形の食品容器の支持脚台においても、請求項１に記載された考案が奏する前記の効果と同様の効果を奏することができる。
【００１８】
また、その請求項３に記載された考案は、請求項１又は２に記載の食品容器の支持脚台において、前記第１の切りこみ部は、その切り込み部を画成する前記脚の上方突片部が、前記脚の母体部よりも前記リングの外側方向に深く切り落とされ、しかも、その上方突片部の上面が、前記リングの外側方向に行くに従って高くなるように、そこにテーパが付けられて切り落とされ、その上方突片部の残された突端部には、アールが付けられたことを特徴としている。
【００１９】
請求項３に記載された考案は、前記のように構成されているので、支持脚台に食品容器の周縁部を嵌め込む時、食品容器の周縁部を、テーパが付けられて切り落とされてできた上方突片部の上面（面取り面）に沿って上方より押し込むと、リングの弾性により、自然に脚の上部がリングの外側方向に向って回転するように変位して、食品容器の周縁部を第１の切り込み部に滑らかに嵌り込ませることができ、支持脚台の食品容器への取り付けがさらに容易になる。
【００２０】
さらに、その請求項４に記載された考案は、請求項１又は２のいずれかに記載の食品容器の支持脚台において、前記脚の内側面には、その上下方向略中央部に、凹部が設けられ、その凹部に前記リングが嵌め込まれて、前記リングが前記脚に釘で固定されたことを特徴としている。
【００２１】
請求項４に記載された考案は、前記のように構成されているので、脚とリングとの結合を強固にすることができるとともに、支持脚台を容易に製造することができる。
【００２２】
また、その請求項５に記載された考案は、請求項１又は２のいずれかに記載の食品容器の支持脚台において、前記脚は、前記食品容器に食品を盛り付けても、上に重ねられた食品容器の底に、下の食品容器に盛り付けられた食品が接触しないような長さであることを特徴としている。
【００２３】
請求項５に記載された考案は、前記のように構成されているので、食品を食品容器に盛り付けた状態でも、支持脚台によって形成される空間によってその状態を壊すことなく、食品容器の複数枚を重ね置きすることができる。
【００２４】
また、その請求項６に記載された考案は、請求項１又は２のいずれかに記載の食品容器の支持脚台において、前記食品容器は、竹ざる、その他の木製、金属製、陶磁器製又はプラスチック製の食品容器のいずれかであることを特徴としている。
【００２５】
請求項６に記載された考案は、前記のように構成されているので、食品容器の材質を選ばず、請求項１又は２に記載された考案が奏する前記の効果と同様の効果を奏することができる。
【考案の効果】
【００２６】
本願の考案は、前記のとおり、次のような効果を奏することができる。
支持脚台を平面視円形又は平面視略矩形の食品容器に容易に着脱できるため、食品を提供する時には、支持脚台を食品容器に取り付けることにより、食品を盛り付けた状態でも、支持脚台によって形成される空間によってその状態を壊すことなく、食品容器の複数枚を重ね置きすることができるようになり、調理場のスペースの節約と、食品が盛り付けられた複数枚の食品容器の食台への運搬の容易化と、作業能率の向上を図ることができる。
また、食品を提供した後、食品容器を洗浄する時には、支持脚台を食品容器から取り外すことにより、容易に食品容器の洗浄ができ、作業能率をさらに向上させることができる。
【００２７】
また、支持脚台の食品容器への取り付け、取り外しに際しては、竹製のリングの弾性を利用して、脚の上部をリングの外側方向に向って回転するように変位させることにより、食品容器の周縁部に脚の第１の切り込み部を周縁部の外側から滑らかに嵌まり込ませ、また、そこから滑らかに抜け出させることができ、その取り付け、取り外しが容易である。
【００２８】
さらに、脚の第２の切り込み部が、食品容器の直下に配置される別の食品容器の周縁部に上方より嵌合するため、上方の食品容器と下方の食品容器とが水平方向に相対移動しないように相互に係合されて、安定した状態で、上下の食品容器を重ね置くことができる。
【００２９】
また、支持脚台の構造は、竹で作られた複数本の脚を、竹で作られた平面視円形のリングに釘で固定するという単純なものであり、材料もほとんどが竹であるので、簡単に、安価に、これを製造することができる。
【００３０】
また、食品容器は、竹ざる、その他の木製、金属製、陶磁器製又はプラスチック製の食品容器のいずれでも良く、いずれの食品容器であっても、前記の効果と同様の効果を奏することができる。
その他、前記したような種々の効果を奏することができる。
【考案を実施するための形態】
【００３１】
（実施例１）
以下に、本願の考案の食品容器の支持脚台の一実施例（実施例１）を、図面を参照しながら説明する。
図１は、本実施例１の食品容器の支持脚台の斜視図、図２は、同支持脚台を構成する脚の斜視図であって、脚の左右面を斜上方からそれぞれ斜視した２種類の斜視図を示す図、図３は、同支持脚台を食品容器に取り付けた状態の斜視図、図４は、同支持脚台を取り付けた食品容器を２枚重ねた状態の斜視図である。
【００３２】
本実施例１において、食品容器は、平面視円形の竹ざるとされている。この竹ざるは、主に、冷水で冷やした、そば、うどん、そうめんのような麺類からなる、調理された食品を盛り付けるために使用されるものであって、この竹ざるに、本実施例１の支持脚台が取り付けられる。
【００３３】
支持脚台２０の構造は、図１に示されるように、断面が矩形の竹製のリング１０の周りに適数本の脚４が等間隔で固定されてなる。本実施例の場合、脚４は、リング１０の周方向に等間隔に３本固定されている。
リング１０は、竹ざる１（図３参照）の外径よりやや小さい外径を有し、脚４の内側面に設けられたリング１０の嵌合溝となる凹部１２に嵌め込まれて、そこに釘１１で固定されている。これにより、それぞれの脚４は、竹製のリング１０の所定の個所にしっかりと直立して固定され、リング１０の弾性（しなり）により、脚４の上部がリング１０の外側方向に向って回転するようにして変位することができる構造となっている。この釘１１は、金属製のものであるのが望ましい。
【００３４】
また、脚４は、竹材から切り出された縦長の小片からなり、横断面が矩形状をなしており、図１及び図２に示されるように、その上部に、リング１０の内側方向に向かって開口するようにして設けられた第１の切り込み部７を有している。この第１の切り込み部７は、図３に示されるように、竹ざる１の周縁部３にその外側から嵌合する。
【００３５】
第１の切りこみ部７は、図２に示されるように、その切り込み部を画成する脚４の上方突片部９が、脚４の母体部４ａよりもリング１０の外側方向に深く切り落とされ、しかも、その上方突片部９の上面が、リング１０の外側方向に行くに従って高くなるようにテーパが付けられて切り落とされて、面取り面９ａとされている。そして、その上方突片部９の残された突端部９ｂには、アールが付けられている。ここで、脚４の母体部４ａとは、縦長の小片からなる脚４の全体のうち、第１の切りこみ部７と後述する第２の切り込み部８とで挟まれた中央部分を指している。
【００３６】
第１の切り込み部７が、このように構成されることにより、竹ざる１の周縁部３を支持脚台２０に嵌め込む時、竹ざる１の周縁部３を上方突片部９の面取り面９ａに沿って上方より押し込むと、脚４の上部が、竹製のリング１０の弾性（しなり）により、リング１０の外側方向に向って回転するように変位し、竹ざる１の周縁部３が第１の切り込み部７に滑らかに嵌まり込む。そして、竹ざる１の周縁部３を、そこにしっかりと保持する。図３は、このようにして支持脚台２０が竹ざる１に取り付けられた状態を示している。
【００３７】
脚４は、また、図２に示されるように、その下部に、下方向に向けて開くように入れられた第２の切り込み部８を有しており、この第２の切り込み部８が、図４に示されるように、竹ざる１の下方（直下）に配置される別の竹ざる１の周縁部３に上方より嵌合するようになっている。
【００３８】
このようにして、上方の竹ざる１に取り付けられた支持脚台２０の脚４の第２の切り込み部８が、下方に配置される別の竹ざる１の周縁部３に上方より嵌合することにより、上方の竹ざる１と下方の竹ざる１とが、水平方向に相対移動しないように相互に係合されて、安定した状態で、上方の竹ざる１が、下方の竹ざる１により保持される。図４は、このようにして２枚の竹ざる１が上下に重ね置きされた状態を示している。但し、それらに盛り付けられた食品は、図示省略されている。同様にして、３枚以上の支持脚台付き竹ざる１を重ね置きすることができる。
【００３９】
なお、脚４の第２の切り込み部８は、図２に示されるように、脚４の下端部に、下方に向けて開口するようにして切り込まれて形成されるが、切り込まれて残された内側の下方突片部１７ａは、その下端の一部が切除されて、外側の下方突片部１７ｂよりも短くなるようにされている。このようにすることにより、上方の竹ざる１に取り付けられた支持脚台２０の脚４の第２の切り込み部８が、下方の竹ざる１の周縁部３に上方より滑らかにぴったりと嵌合して、これを確実に捕捉することができる。
【００４０】
脚４の寸法は、１例として、竹ざる１の外径寸法が２４０ｍｍの場合、長さ（高さ）約６０ｍｍ、幅約２０ｍｍ、厚さ約７ｍｍ、第１及び第２の切り込み部７、８の幅約１０ｍｍ、第１及び第２の切り込み部７、８の離間距離約３０ｍｍ、第１の切り込み部７の上方突片部９のリング１０外側方向への切り落し長さ約８ｍｍである。これらの寸法のうち、長さ（高さ）約６０ｍｍ及び離間距離約３０ｍｍは、竹ざる１に食品を盛り付けても、上に重ねられた竹ザル１の底に、下の竹ざる１に盛り付けられた食品が接触しないような長さである。なお、嵌合溝１２の幅（高さ）約８ｍｍ、深さ約３ｍｍ、釘１１の直径は、約１ｍｍである。
【００４１】
本実施例１は、前記のように構成されているので、次のような効果を奏することができる。
支持脚台２０を平面視円形の竹ざる１に容易に着脱できるため、食品を提供する時には、支持脚台２０を竹ざる１に取り付けることにより、食品を盛り付けた状態でも、支持脚台２０によって形成される空間によってその状態を壊すことなく、竹ざる１の複数枚を重ね置きすることができ、調理場のスペースの節約と、食品が盛り付けられた複数枚の竹ざる１の食台への運搬の容易化と、作業能率の向上を図ることができる。
また、食品を提供した後、竹ざる１を洗浄する時には、支持脚台２０を竹ざる１から取り外すことにより、容易に竹ざる１の洗浄ができ、作業能率をさらに向上させることができる。
【００４２】
また、支持脚台２０の竹ざる１への取り付け、取り外しに際しては、竹製のリング１０の弾性を利用して、脚４の上部をリング１０の外側方向に向って回転するように変位させることにより、竹ざる１の周縁部３に脚４の第１の切り込み部７を周縁部３の外側から滑らかに嵌まり込ませ、また、そこから滑らかに抜け出させることができ、その取り付け、取り外しが容易である。
【００４３】
さらに、脚４の第２の切り込み部８が、竹ざる１の直下に配置される別の竹ざる１の周縁部３に上方より嵌合するため、上方の竹ざる１と下方の竹ざる１とが水平方向に相対移動しないように相互に係合されて、安定した状態で、上下の竹ざる１、牽いては、複数枚の竹ざる１を重ね置くことができる。
【００４４】
また、支持脚台２０の構造は、竹で作られた複数本の脚４を、竹で作られた平面視円形のリング１０に釘１１で固定するという単純なものであり、材料もほとんどが竹であるので、簡単に、安価に、これを製造することができる。
【００４５】
また、支持脚台２０に竹ざる１の周縁部２を嵌め込む時、竹ざる１の周縁部３を、テーパが付けられて切り落とされてできた脚４の上方突片部９の上面（面取り面）９ａに沿って上方より押し込むと、リング１０の弾性により、自然に脚４の上部がリング１０の外側方向に向って回転するように変位して、竹ざる１の周縁部３を第１の切り込み部７に滑らかに嵌り込ませることができ、支持脚台２０の竹ざる１への取り付けがさらに容易になる。
【００４６】
さらに、脚４の内側面には、その上下方向略中央部に、凹部１２が設けられ、その凹部１２にリング１０が嵌め込まれて、リング１０が脚４に釘１１で固定されるので、脚４とリング１０との結合を強固にすることができるとともに、支持脚台２０を容易に製造することができる。
【００４７】
また、脚４は、竹ざる１に食品を盛り付けても、上に重ねられた竹ざる１の底に、下の竹ざる１に盛り付けられた食品が接触しないような長さにされているので、食品を竹ざる１に盛り付けた状態でも、支持脚台２０（脚４）によって形成される空間によってその状態を壊すことなく、竹ざる１の複数枚を重ね置きすることができる。
【００４８】
本実施例１において、食品容器は、竹ざる１とされたが、これに限定されず、その他の木製、金属製、陶磁器製又はプラスチック製の食品容器のいずれであっても良く、食品容器の材質を選ばずに、前記の効果と同様の効果を奏するようにすることができる。
【００４９】
（実施例２）
次に、本願の考案の食品容器の支持脚台の他の実施例（実施例２）を、図面を参照しながら説明する。
図５は、本実施例２の食品容器の支持脚台の斜視図、図６は、同支持脚台を食品容器に同取り付けた状態の斜視図、図７は、同支持脚台を取り付けた食品容器を２枚重ねた状態の斜視図である。
【００５０】
本実施例２において、食品容器は、図６に示されるように、平面視略矩形の竹ざる１３とされている。この竹ざる１３は、実施例１の竹ざる１と比べると、平面視形状が異なるのみで、機能は同じである。そして、この竹ざる１３に取り付けられる支持脚台３０も、図５に示されるように、竹ざる１３の平面視形状に合わせて、平面視略矩形とされている。ここで、「矩形」には、正方形、長方形が含まれ、「略矩形」の「略」は、それらの矩形形状の角部にアールが付されていて、完全な矩形になっていないことを意味している。
【００５１】
支持脚台３０は、平面視略矩形で、その断面が矩形の竹製のリング１６と、このリング１６の周方向に沿って適宜間隔を置いて取り付けられる３本の縦長の竹製の脚４からなっている。脚４の構造は、実施例１のものと同じである。リング１６は、竹ざる１３の外寸法よりやや小さい外寸法を有しており、その４つの角部には、アールが付されている。リング１６は、２本用いられても良いが、通常は、１本で十分である。
【００５２】
３本の脚４のうちの１本の脚４は、平面視略矩形のリング１６の所定の一辺の中央部に取り付けられており、残りの２本の脚４は、この所定の一辺に対向する一辺と残りの２辺の各々とが作るアールが付された２つの角部にそれぞれ取り付けられている。
【００５３】
本実施例２の竹ざる１３の支持脚台３０は、以上の点で実施例１のそれと異なるが、その他の点で異なるところはないので、これ以上の詳細な説明を省略する。  ただ、食品が盛り付けられた複数枚の竹ざる１３を重ね置く場合には、図７に示されるように、下の竹ざる１３に取り付けられた支持脚台３０の向きと、上の竹ざる１３に取り付けられた支持脚台３０の向きとが、互いに逆の関係になるようにして、上下の竹ざる１３が重ね置かれなければならない。
【００５４】
本実施例２は、前記のように構成されているので、実施例１と同等の効果を奏することができる。
【００５５】
なお、本願の考案は、前記実施例に限定されるものではなく、その要旨を逸脱しない範囲において、種々に変形されて良いものである。
例えば、食品容器の平面視形状が、楕円形状や多角形状である場合にも、本願考案の支持脚台を適合させて、実施例１及び２と同等の効果を奏するようにすることができる。
【００５６】
その適合のさせ方の例として、食品容器の平面視形状が楕円形の場合、実施例１の支持脚台２０を適宜押し潰して、所望の楕円形状にし、複数枚の食品容器を重ね置く場合には、それらに取り付けられた支持脚台２０の向きを、上下互いに逆の関係になるようにして、上下の食品容器を重ね置くようにすれば良い。
【００５７】
また、食品容器に盛られる食品には、種々のものが考えられる。食品容器が竹ざるである場合にあっても、そば、うどん、そうめんのような麺類を中心としたもののほか、例えば、天ぷら、焼き魚が挙げられよう。
【図面の簡単な説明】
【００５８】
【図１】本願の考案の一実施例（実施例１）の食品容器の支持脚台の斜視図である。
【図２】同支持脚台を構成する脚の斜視図であって、脚の左右面を斜上方からそれぞれ斜視した２種類の斜視図を示す図である。
【図３】同支持脚台を食品容器に取り付けた状態の斜視図である。
【図４】同支持脚台を取り付けた食品容器を２枚重ねた状態の斜視図である。
【図５】本願の考案の他の実施例（実施例２）の食品容器の支持脚台の斜視図である。
【図６】同支持脚台を食品容器に同取り付けた状態の斜視図である。
【図７】同支持脚台を取り付けた食品容器を２枚重ねた状態の斜視図である。
【図８】従来例を示す図である。
【符号の説明】
【００５９】
１…竹ざる、２…すのこ部、３…周縁部、４…脚、４ａ…母体部、７…第１の切り込み部、８…第２の切り込み部、９…上方突片部（面取り部）、９a…面取り面、９b…突端部、１０…リング、１１…釘、１２…凹部、１３…竹ざる、１４…すのこ部、１５…周縁部、１６…リング、１７ａ…内側の下方突片部、１７ｂ…外側の下方突片部、２０…支持脚台、３０…支持脚台。
【図１】
0003175249.tif 000003
【図２】
0003175249.tif 000004
【図３】
0003175249.tif 000005
【図４】
0003175249.tif 000006
【図５】
0003175249.tif 000007
【図６】
0003175249.tif 000008
【図７】
0003175249.tif 000009
【図８】
0003175249.tif 000010